(57)【要約】      （修正有）【課題】ＩＣカードチップを備え、キャリングケースの表面層内側に内蔵されている、携帯に便利な電子財布を提供する。【解決手段】前記ＩＣチップはチップ保護ケース内に収納され、ケース底部または蓋部の内側中央には、リング状チップの孔内に挿入されて良好に固定する作用を奏するために、密着固定突起が設けられている。キャリングケースは柔軟質の外装体または合成樹脂製外装体である。キャリングケースは単独で携帯可能であるばかりでなく、携帯電話機、ハンドバッグなどの携行物品に繋げて携帯でき、携行に大変便利で、紛失しにくい。しかも、ＩＣカードチップは、縫い付けまたはチップ保護ケースを介してキャリングケース内に固定されることで熱加圧溶着が必要ないため、チップが損傷することはない。さらにはチップをキャリングケースから取り出して検査・修理または交換しやすくできる。【選択図】図１
0003123364.tif 000002
【実用新案登録請求の範囲】
【請求項１】
ＩＣカードチップを備えた携帯に便利な電子財布であって、前記ＩＣカードチップはキャリングケースの表面層内側に内蔵されていることを特徴とする携帯に便利な電子財布。
【請求項２】
前記ＩＣカードチップをチップ保護ケース内に収納し、前記チップ保護ケースをキャリングケースの表面層内側に内蔵しており、前記チップ保護ケースは開蓋または係合可能なケース底部と蓋部とを備え、前記ケース底部または蓋部の内側中央には密着固定突起が設けられていることを特徴とする請求項１に記載の携帯に便利な電子財布。
【請求項３】
前記ケース底部と蓋部とに係止手段を設けたことを特徴とする請求項２に記載の携帯に便利な電子財布。
【請求項４】
前記係止手段が、前記ケース底部または蓋部の縁に設けられて互いに嵌合する凹凸構造でなることを特徴とする請求項３に記載の携帯に便利な電子財布。
【請求項５】
前記凹凸構造が、前記蓋部の縁内側の円弧表面に設けられて円弧状表面を持つ複数の突起またはリブと、前記ケース底部の縁外側に設けられて前記突起またはリブに係合するリング状凹溝を備えたことを特徴とする請求項４に記載の携帯に便利な電子財布。
【請求項６】
前記蓋部の縁には開蓋しやすくする切り欠きが設けられていることを特徴とする請求項２、３、４または５に記載の携帯に便利な電子財布。
【請求項７】
前記キャリングケースが柔軟質の外装体であることを特徴とする請求項１に記載の携帯に便利な電子財布。
【請求項８】
前記柔軟質の外装体がぬいぐるみのデザインであり、前記ＩＣチップが前記ぬいぐるみの底面に内蔵され、前記ぬいぐるみの上部には吊下げ用リングが設けられていることを特徴とする請求項７に記載の携帯に便利な電子財布。
【請求項９】
前記キャリングケースのうちＩＣチップを内蔵した箇所の表面層にはスリットが設けられ、前記スリット上にはファスナーが設けられていることを特徴とする請求項１、７または８に記載の携帯に便利な電子財布。
【請求項１０】
前記キャリングケースのうちＩＣチップを内蔵した箇所の表面層にはスリットが設けられ、前記スリット上にはフラップが設けられ、前記フラップとキャリングケースとの対向面にはマジックテープが設けられていることを特徴とする請求項１、７または８に記載の携帯に便利な電子財布。
【請求項１１】
前記ＩＣチップが非接触型チップであることを特徴とする請求項１に記載の携帯に便利な電子財布。
【考案の詳細な説明】
【技術分野】
【０００１】
本考案は支払いに用いられるクレジットカードに関し、具体的には携帯に便利な電子財布に関する。
【背景技術】
【０００２】
科学技術の急速な進展と人々の生活レベルが絶えず向上しているのに伴い、情報技術製品が人々の生活の面に浸透している。例えば日常生活において使用されるクレジットカード、テレホンカード、電気料金プリペイドカードなどが日増しに普及しており、乗り物への乗車、ショッピング、旅行および飲食など様々な場面においてクレジットカードで料金を支払うことができる。マイクロエレクトロニクス技術が日進月歩で進歩していることから、ＩＣカードチップのサイズはますます小さくなっており、ＩＣカードチップを硬貨サイズのケース内に密封することが可能となっている。現在、市場で使用されているＩＣカードチップは、熱加圧方式で合成樹脂製ケース内に密封して、ケースを熱加圧で一体に溶着した構造であるが、このようなケーシング密封されたＩＣカードチップには、携行に不便で、しかも携行している最中に紛失しやすいことや、またはケースの熱加圧工程において過熱または圧力の不均一によりチップが損傷しやすく、不必要な経済的損失を招いてしまうという欠点がある。そしてもう一点として、ケースは熱加圧溶着で一体とされた構造であることから、内部に封止されているチップの損傷の有無に関わらず、取り出して検査、交換または修理することはできないという欠点があった。
【考案の開示】
【０００３】
本考案の目的は、従来のＩＣカードチップのケースにおける、携行に不便でしかも携行している最中に紛失しやすく、そしてケースの熱加圧工程において過熱または圧力の不均一によりチップが損傷しやすいなどの問題を解決する、携帯に便利な電子財布を提供するところにある。
【０００４】
上記目的を達成するために本考案が用いた技術思想とは、ＩＣカードチップを備え、前記ＩＣカードチップはキャリングケースの表面層内側に内蔵されている、携帯に便利な電子財布を提供するものである。
【０００５】
好ましくは、本考案に係る携帯に便利な電子財布におけるＩＣカードチップをチップ保護ケース内に収納するものである。前記チップ保護ケースは開蓋または係合可能なケース底部と蓋部とを備え、前記ケース底部または蓋部の内側中央には密着固定突起が設けられている。前記密着固定突起はリング状チップの孔内に挿入されて良好に固定する作用を奏する。
【０００６】
好ましくは、本考案に係る携帯に便利な電子財布におけるＩＣカードチップのキャリングケースは柔軟質の外装体または合成樹脂製外装体である。前記柔軟質の外装体は起毛した外装体、布材の外装体とすることが可能である。
【０００７】
本考案によって生じる有益な効果は次のとおりである。ＩＣカードチップがキャリングケースの表面層内側に内蔵されていることで、キャリングケースは単独で携帯可能であるばかりでなく、携帯電話機、ハンドバッグなどの携行物品に繋げて携帯でき、携行に便利で、紛失しにくい。ＩＣカードチップは、縫い付けまたはチップ保護ケースを介してキャリングケース内に固定されることで熱加圧溶着が必要ないため、チップが損傷することはない。さらにはチップをキャリングケースから取り出して検査・修理または交換しやすくできる。
【考案を実施するための最良の形態】
【０００８】
図１から図３を参照されたい。本考案に係る携帯に便利な電子財布の基本構造ではＩＣカードチップ３とキャリングケース２とを備えている。前記ＩＣカードチップ３は非接触型チップである。前記キャリングケース２は柔軟質の外装体または合成樹脂製の外装体とすることができる。前記柔軟質の外装体は起毛した外装体、布材の外装体とすることができる。前記キャリングケースのデザインとしては動物、アニメーションのキャラクタ、またはその他形式のデザインとすることができる。前記ＩＣカードチップ３はキャリングケース２の底部の表面層４内に配設され、キャリングケース２内には軟質の充填材が充填されている。前記ぬいぐるみ（キャリングケース）２の上部には、携帯電話機、ハンドバッグなどの携行物品にチェーンで繋げるか、または吊下げるための吊下げ用リング１が設けられている。
【０００９】
図１に示す第１の実施例では、そのＩＣカードチップ３はキャリングケース２の底部の表面層４内に縫い付けられている。図２に示す第２の実施例では、キャリングケース２の底部の表面層にスリットが設けられ、前記スリット上にはファスナー５が設けられている。ＩＣカードチップ３はスリットを通じてキャリングケース２内に収納され、かつファスナー５によりスリットを開閉することで、ＩＣカードチップ３の収納および取り出しがしやすくなっている。
【００１０】
図３に示す第３の実施例は、ＩＣカードチップの収納および取り出しがしやすい他の構造であって、キャリングケース２の底面の表面層にスリット７が設けられ、前記スリット上にはフラップ６が設けられており、前記フラップ６とキャリングケース２との対向面にはマジックテープ（登録商標）８が設けられている。
【００１１】
上記実施例においては、キャリングケース２の底部の表面層にＩＣカードチップを収納する例のみを挙げたが、前記ＩＣカードチップはキャリングケース２の任意の位置に収納することができる。
【００１２】
図４ないし図７に示す第４の実施例では、前記ＩＣカードチップ３は予めチップ保護ケース９内に収納されており、ＩＣカードチップ３の収納のさらなる利便性を図っている。前記チップ保護ケース９の基本的な構造では、開蓋または係合可能なケース底部９１と蓋部９２とを備えている。前記ケース底部９２の内側中央には密着固定突起９２１が設けられている。前記密着固定突起９２１はリング状のＩＣカードチップ３の中央孔内に挿入されて、ＩＣカードチップ３をより良好に固定する作用を奏する。
【００１３】
ケース底部９２と蓋部９１との結合がより堅牢となるように、前記ケース底部９２と蓋部９１とにさらに係止手段を設けても良い。前記係止手段の一実施例は図８ないし図１０に示すように、前記ケース底部９２の縁外側に設けられているリング状凹溝９２２および蓋部９１の縁内側の円弧表面に設けられている突起またはリブ９１１からなる。前記リング状凹溝９２２は突起またはリブ９１１に嵌合しており、蓋部９１が係合されているとき、蓋部９１自身の弾力性で変形し突起またはリブ９１１をリング状凹溝９２２内に嵌着させることで、蓋部９１とケース底部９２とをさらに密着結合させるので、両者が外れてしまうのを効果的に防止している。
【００１４】
当然のことながら、前記係止手段は上記実施例の構造に限定されることはなく、凡そいかなる形状であっても凹凸の嵌合またはネジ溝により蓋部９１とケース底部９２とを密着結合する構造は、いずれも本考案で保護する範囲に含まれる。
【００１５】
また、ケースを開蓋しやすくするために、図１１に示すように、前記蓋部９１の縁に蓋部９１を開蓋するのに便利な切り欠き９１２を設けることにより、硬貨またはその他の硬い物を用いてケース底部９２と蓋部９１とを分離しやすくすることもできる。
【００１６】
本考案はいくつかの具体的な実施例で説明を行ったが、本考案の範囲を逸脱しない状況の下、本考案に対して各種の変更および同等な置換を行うことが可能であることは、当業者であれば明らかに理解しているはずである。また、特定の状況または具体的な状況について、本考案に様々な修正を行い得るし、また本考案の範囲を逸脱することはない。したがって、本考案は開示されている具体的な実施例に限定されることなく、本考案に係る登録請求の範囲内に包括されるすべての実施形態が含まれるべきである。
【図面の簡単な説明】
【００１７】
【図１】本考案に係る第１の実施例の全体構造の概略図である。
【図２】本考案に係る第２の実施例の全体構造の概略図である。
【図３】本考案に係る第３の実施例の全体構造の概略図である。
【図４】本考案に係る第４の実施例のＩＣカードチップがチップ保護ケース内に収納された断面概略図である。
【図５】図４の平面概略図である。
【図６】図４における蓋部の立体構造の概略図である。
【図７】図４におけるケース底部の立体構造の概略図である。
【図８】チップ保護ケースの他の実施例の断面概略図である。
【図９】図８中における蓋部の立体構造の概略図である。
【図１０】図８中におけるケース底部の立体構造の概略図である。
【図１１】切り欠きを有する蓋部の立体構造の概略図である。
【符号の説明】
【００１８】
１      吊下げ用リング
２      キャリングケース
３      ＩＣカードチップ
４      表面層
５      ファスナー
６      フラップ
７      スリット
８      マジックテープ（登録商標）
９      チップ保護ケース
９１    蓋部
９２    ケース底部 
９１１  突起またはリブ
９１２  切り欠き
９２１  密着固定突起
９２２  リング状凹溝
【図１】
0003123364.tif 000003
【図２】
0003123364.tif 000004
【図３】
0003123364.tif 000005
【図４】
0003123364.tif 000006
【図５】
0003123364.tif 000007
【図６】
0003123364.tif 000008
【図７】
0003123364.tif 000009
【図８】
0003123364.tif 000010
【図９】
0003123364.tif 000011
【図１０】
0003123364.tif 000012
【図１１】
0003123364.tif 000013